(57)【要約】【課題】  従来の熱供給装置、及び熱供給システムは、主に、地球温暖化の原因となる石油、石炭、天然ガス等の化石燃料を、燃料として直接熱供給したり、又は、核燃料による発電等、電気に変えて熱供給を行ってきた。  特に農家のハウス栽培や、建物の暖房及び、寒冷地等においては、融雪対策等に、多大な熱供給が必要であるが、安価な再生エネルギーより、これらを達成する手段が見出されていないという、数多くの欠点を有していた。【解決手段】  醗酵材料として、植物系有機物と、酵母菌、及び／又は、酵素菌、及び／又は乳酸菌等の発酵菌、及び／又は糖類等が、最適な配合で、混入された発酵材料ｍを撹拌することにより、発酵熱ｈを得る熱供給装置、及び熱供給システムを提供する。【選択図】図１
2013127349.tif 000002
【特許請求の範囲】
【請求項１】
醗酵材料の醗酵熱により、熱媒を加熱する熱発生装置と、放熱部と、熱供給配管と、戻り配管４により構成されていることを特徴とする熱供給装置、及び熱供給システム。
【請求項２】
醗酵材料として、植物系有機物と、酵母菌、及び／又は、酵素菌、及び／又は、乳酸菌等の発酵菌、及び／又は糖類等が、最適な配合で、混入された発酵材料ｍを撹拌することにより、発酵熱ｈを得ることを特徴とする請求項１記載の熱供給装置、及び熱供給システム。
【請求項３】
放熱部を、植物栽培のための栽培ハウス又は、植物工場に適用したことを特徴とする請求項１記載、又は請求項２記載の熱供給装置、及び熱供給システム。
【請求項４】
放熱部を、道路及び／又は駐車場に適用した融雪装置に適用したことを特徴とする請求項１記載、又は請求項２記載の熱供給装置、及び熱供給システム。
【請求項５】
放熱部を、建築物の暖房や、温水供給に適用したことを特徴とする請求項１記載、又は請求項２記載の熱供給装置、及び熱供給システム。
【請求項６】
熱媒槽と、仕切り管とが、地面Ｅの中に、埋設され、熱媒槽と仕切り管の間には、植物系有機物の醗酵物質ｍが、充填されており、醗酵物質ｍは、発酵熱と地熱の両方による受熱が、可能であることを特徴とする請求項１記載、又は請求項２、又は請求項３記載、又は請求項４記載、又は請求項５記載の熱供給装置、及び熱供給システム。
【請求項７】
入口管にブロワーを連結して、空気Ａを送りこみ末端を開放にし、
熱媒を、空気としたことを特徴とする請求項１記載、又は請求項２、又は請求項３記載、又は請求項４記載、又は請求項５記載、又は請求項６記載の熱供給装置、及び熱供給システム。
【請求項８】
熱発生装置の中央部には、醗酵槽が、設けられており、密封容器となっており、
醗酵槽の外周には、熱媒槽が設けられ、発酵槽で発生した醗酵熱ｈを受熱出来、
醗酵槽の両端部には、熱媒槽を貫通して回転軸が設けられ、発酵槽１０が外部より回転できるよう構成されており、シール部、軸受を介して、熱媒槽の熱媒ｆが、外部に流出せず、回転自在に、支持されている熱発生装置を用いることを特徴とする請求項１記載、又は請求項２、又は請求項３記載、又は請求項４記載、又は請求項５記載、又は請求項６記載、又は請求項７記載の熱供給装置、及び熱供給システム。
【請求項９】
熱発生装置の熱媒槽を中央内部に設け、発酵槽１０を、外周に設けたことを特徴とする請求項１記載、又は請求項２、又は請求項３記載、又は請求項４記載、又は請求項５記載、又は請求項６記載、又は請求項７記載、又は請求項８記載の熱供給装置、及び熱供給システム。
【請求項１０】
融雪装置の構造は、底部には、断熱層が設けられ、その上表面には、熱伝達塗料が塗装され、上部からの熱を反射し、その上部には、放熱ヘッダーと、放熱配管が設けられ、更にその上部表面には、滑り止めを兼ねた保護層が設けられていることを特徴とした請求項１記載、又は請求項２、又は請求項４記載、又は請求項６記載、又は請求項７記載、又は請求項８記載、又は請求項９記載の熱供給装置、及び熱供給システム。
【発明の詳細な説明】
【技術分野】
【０００１】  本発明は、熱供給装置、及び熱供給システムに関する。
【背景技術】
【０００２】  従来の熱供給装置、及び熱供給システムは、主に、地球温暖化の原因となる石油、石炭、天然ガス等の化石燃料を、燃料として直接熱供給したり、又は、核燃料による発電等、電気に変えて熱供給を行ってきた。
しかるに原子力発電所の大事故により自然エネルギーが着目され、太陽光や風力、地熱、バイオマス等の再循環可能な天然エネルギーへの関心が一挙に高まっている。特に農家のハウス栽培や、建物の暖房及び、寒冷地等においては、融雪対策等に、多大な熱供給が必要であるが、安価な再生エネルギーより、これらを達成する手段が見出されていないという、数多くの欠点を有していた。【０００３】
【発明の概要】
【発明が解決しようとする課題】
【０００４】  本発明は、これらの問題を解決し、安価な再生エネルギーより、これらを達成する画期的な手段を提供するものである。
【課題を解決するための手段】
【０００５】  醗酵材料の醗酵熱により、熱媒を加熱する熱発生装置と、放熱部と、熱供給配管と、戻り配管４により構成されていることを特徴とする熱供給装置、及び熱供給システムを提供する。【０００６】  醗酵材料として、植物系有機物と、酵母菌、及び／又は、酵素菌、及び／又は、乳酸菌等の発酵菌、及び／又は糖類等が、最適な配合で、混入された発酵材料ｍを撹拌することにより、発酵熱ｈを得ることを特徴とする請求項１記載の熱供給装置、及び熱供給システムを提供する。【０００７】  放熱部を、植物栽培のための栽培ハウス又は、植物工場に適用したことを特徴とする請求項１記載、又は請求項２記載の熱供給装置、及び熱供給システムを提供する。【０００８】  放熱部を、道路及び／又は駐車場に適用した融雪装置に適用したことを特徴とする請求項１記載、又は請求項２記載の熱供給装置、及び熱供給システムを提供する。【０００９】  放熱部を、建築物の暖房や、温水供給に適用したことを特徴とする請求項１記載、又は請求項２記載の熱供給装置、及び熱供給システムを提供する。【００１０】  熱媒槽と、仕切り管とが、地面Ｅの中に、埋設され、熱媒槽と仕切り管の間には、植物系有機物の醗酵物質ｍが、充填されており、醗酵物質ｍは、発酵熱と地熱の両方による受熱が、可能であることを特徴とする請求項１記載、又は請求項２、又は請求項３記載、又は請求項４記載、又は請求項５記載の熱供給装置、及び熱供給システムを提供する。【００１１】  入口管にブロワーを連結して、空気Ａを送りこみ末端を開放にし、
熱媒を、空気としたことを特徴とする請求項１記載、又は請求項２、又は請求項３記載、又は請求項４記載、又は請求項５記載、又は請求項６記載の熱供給装置、及び熱供給システムを提供する。【００１２】  熱発生装置の中央部には、醗酵槽が、設けられており、密封容器となっており、
醗酵槽の外周には、熱媒槽が設けられ、発酵槽で発生した醗酵熱ｈを受熱出来、
醗酵槽の両端部には、熱媒槽を貫通して回転軸が設けられ、発酵槽１０が外部より回転できるよう構成されており、シール部、軸受を介して、熱媒槽の熱媒ｆが、外部に流出せず、回転自在に、支持されている熱発生装置を用いることを特徴とする請求項１記載、又は請求項２、又は請求項３記載、又は請求項４記載、又は請求項５記載、又は請求項６記載、又は請求項７記載の熱供給装置、及び熱供給システムを提供する。【００１３】  熱発生装置の熱媒槽を中央内部に設け、発酵槽１０を、外周に設けたことを特徴とする請求項１記載、又は請求項２、又は請求項３記載、又は請求項４記載、又は請求項５記載、又は請求項６記載、又は請求項７記載、又は請求項８記載の熱供給装置、及び熱供給システムを提供する。【００１４】  融雪装置の構造は、底部には、断熱層が設けられ、その上表面には、熱伝達塗料が塗装され、上部からの熱を反射し、その上部には、放熱ヘッダーと、放熱配管が設けられ、更にその上部表面には、滑り止めを兼ねた保護層が設けられていることを特徴とした請求項１記載、又は請求項２、又は請求項４記載、又は請求項６記載、又は請求項７記載、又は請求項８記載、又は請求項９記載の熱供給装置、及び熱供給システムを提供する。
【発明の効果】
【００１５】（１）植物系有機物１１と、酵母菌１２、及び／又は、酵素菌１３、糖類１４等が、最適な配合で、混入されており、適度な水分と、空気を供給し、この発酵材料ｍを撹拌することにより、発酵熱ｈが発生する。
（２）熱媒槽１５を中央内部に設け、発酵槽１０を、外周に設けても良く、このように構成すると、発酵材料ｍの供給がしやすくなる。
（３）入口管にブロワーを連結して、空気Ａを送りこみ末端を開放にすると、空気によるバイオ加熱系システムを形成することができる。
（４）植物系有機物１１は、通常産業廃棄物として処理費を掛けたりして投棄されているものであり、ほとんど無料で入手できるためランニングコストが、ほとんどかからない利点を有している。
（５）と共に、地方自治体での処理費用の削減に寄与できるメリットを有する。
（６）植物栽培に最適な光線を発光する省エネ型のＣＣＦＬ灯（冷陰極管）や、ＬＥＤ灯によるランプ５９を使用して理想的な植物栽培を行うことができる。
（７）醗酵物質ｍは、発酵熱と地熱の両方による受熱が、可能なため極めて安価で、合理的な熱供給を可能とすることが、出来る。
（８）植物系有機物１１の発酵が終わると、堆肥１３として利用でき、良質の堆肥１３として販売し、商品として、コストメリットを発揮することができる。
（９）栽培ハウス５０では、堆肥１３をそのまま、若しくは添加剤を加えて、畝５２に循環使用され、効果的な循環システムを構成できるのである。
【図面の簡単な説明】
【００１６】
【図１】本発明の実施例１の植物栽培に適用した全体装置構成、及びシステム概略構成図である。
【図２】植物栽培に適用した全体装置構成の、Ａ−Ａ断面図である。
【図３】実施例２の道路及び／又は駐車場に適用した融雪装置の全体装置構成及びシステム概略構成図である。
【図４】実施例３の建築物の暖房や、温水供給等に適用した全体装置構成、及びシステム概略構成図である。
【図５】熱発生装置１の一例を示す断面図である。
【図６】図５の横断面図である。
【図７】熱発生装置の１例の部分断面図である。
【図８】熱媒槽１５を中央内部に設け、発酵槽１０を、外周に設けた全体断面図である。
【図９】図８の構成の横断面図である。
【図１０】融雪装置の望ましき１例を示す断面図である。
【図１１】発酵熱と地熱も利用できる構成を示す断面図である。
【発明を実施するための形態】
【００１７】  本発明は再循環可能な天然エネルギーにより、農家のハウス栽培や、建物の暖房等への熱供給、特に寒冷地等においては、融雪対策に多大な熱供給が必要であるが、安価な再生エネルギーより、これらを達成する手段を提供するものである。
【００１８】  なお、本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【００１９】  以下、図面に従って、概略構成を、説明する。
図１は、本発明の実施例１の植物栽培に適用した全体装置構成、及びシステム概略構成図である。
図２は、図１に示した植物栽培に適用した全体装置構成の、Ａ−Ａ断面図である。
図３は、実施例２の道路及び／又は駐車場に適用した融雪装置の全体装置構成及びシステム概略構成図である。
図４は、実施例３の建築物の暖房や、温水供給等に適用した全体装置構成、及びシステム概略構成図である。
【実施例１】
【００２０】  図１及び図２により全体構成を詳説する。
図１に示すように、全体構成は、熱発生装置１と、熱供給配管２と、放熱部３と、戻り配管４により構成されている。【００２１】  熱発生装置１には、熱供給配管２が連結され、熱媒ｆを、栽培ハウス５０内に設けられた放熱部３に供給する。
放熱部３で、放熱した後、熱媒ｆは、戻り配管４により連結された熱発生装置１に戻され、循環系を構成している。
但し、熱発生装置１、及び熱供給配管２、及び戻り配管４等での循環システムは、ヒートパイプのような特殊な構造ではなく、製作が簡単であるというメリットを有している。
図２に示すように、放熱部３は、栽培ハウス５０内の栽培植物５１の植えられている畝５２の土壌の下部又は、栽培ハウスの側面等の適した場所に配置されている。
栽培ハウス５０は、補強フレーム５３により樹脂製等の外皮５４が支えられ、栽培ハウス５０を構成している。【００２２】  図５は、熱発生装置１の一例を示す断面図である。
図５の熱発生装置１の中央部には、醗酵槽１０が、設けられており、密封容器となっている。
その内部には、植物系有機物１１と、酵母菌、及び／又は、酵素菌、及び／又は、乳酸菌等の醗酵菌１２、及び／又は糖類等１４が、最適な配合で、混入されており、適度な水分と、空気を供給し、この発酵材料ｍを撹拌することにより、発酵熱ｈが発生する。【００２３】  醗酵槽１０の外周には、熱媒層１５が設けられ、発酵槽１０で発生した醗酵熱ｈを受熱出来る。
熱媒槽１０の外側は、保温材等１６が設けられ、外部への熱放散を防いでいる。
醗酵槽１０の両端部には、熱媒槽１５を貫通して回転軸１７ａ、１７ｂが設けられ、発酵槽１０が外部より回転できるよう構成されている。
回転軸１７ａ、１７ｂは、シール部１８、及び軸受１９を介して、熱媒槽１５の熱媒ｆが、外部に流出せず、回転自在に、熱媒槽１５に支持されている。
図５においては、手動式の回転手段２０が示されているが、機械による回転手段２０を設けても良い。
発酵槽１０の内部には、撹拌フィンを兼ねた受熱フィン２１が設けられており、発熱による発酵槽１０の変形防止のための補強材としても機能している。
発酵槽１０の外部には、熱媒撹拌フィンを兼ねた受熱フィン２２が設けられており、同様に、補強材としても機能している。【００２４】  又、別の構成としては、熱媒槽１５を中央内部に設け、発酵槽１０を、外周に設けても良い。
図８は、この構成を示した全体断面図、及び図９はこの構成例を示した横断面図である。
このように構成すると、発酵材料ｍの供給がしやすくなる。
更に別の構成として、図８に示すように、入口管２３にブロワー２４を連結して、空気Ａを送りこみ末端を開放にすると、空気によるバイオ加熱系システムを形成することができる。
これは、図５の構成でも同様に適用できる。【００２５】  又、本発明の実施例においては、植物系有機物１１の発酵熱ｈを熱源として利用するものである。
植物系有機物１１は、木材系のおがくず、及び／又は木材チップ、及び／又は木材ペレット、及び／又は小枝、及び／又は樹皮等を小粒化した物や、落葉、及び／又は雑草、及び／又は稲藁を小粒化した物や、大豆かす、及び／又は米ぬか等の残留物、及び／又は乾燥した藻類等が用いられる。
これらは、通常産業廃棄物として処理費を掛けたりして投棄されているものであり、ほとんど無料で入手できるため、ランニングコストがほとんどかからない利点を有している。
と共に、地方自治体での処理費用の削減に寄与できるメリットを有する。【００２６】  これらの植物系有機物１１に、酵母菌、及び／又は酵素菌、及び／又は乳酸菌等の発酵菌１２、及び／又は糖類１４を混入することにより、適度な水分と、空気を供給し、撹拌することにより、発酵熱ｈが発生することはよく知られている。
しかし、酵母菌、及び／又は酵素菌、及び／又は乳酸菌等の発酵菌１２は、生ごみの処理用として普及してきたが、それらを熱源としての最適条件下で、積極的に利用する熱供給装置や、熱供給システムは、開発されていなかった。【００２７】  酵母菌、及び／又は酵素菌、及び／又は乳酸菌等の発酵菌１２の中でも、「中温度好温菌」は、常温や、３７℃〜５６℃で活動し、「高温度好温菌」は、５５℃〜１００℃付近で活動する。
本発明では、発酵菌１２として、「中温度好温菌」、及び／又は、「高温度好温菌」を用いることにより、より効果的な発熱を、安定して得ることができたのである。
酵母菌、及び／又は酵素菌、及び／又は乳酸菌等の発酵菌１２は、通常販売されている麹菌や、発酵促進剤や、植物成長菌としても利用されており、種々の菌類が利用できる。【００２８】  植物系有機物１１は、生ごみ等の動物性有機物を混入しているものは、分解しにくく反応速度が遅く、又腐敗したり、悪臭を発生したりするため、使用できるが、使用に適してない。
植物系有機物１１、特におがくず、及び／又は、木材チップ、及び／又は、木材ペレット等は、発酵菌１２により、安定した醗酵が得られ、小粒化した物は、反応面積が多く、空気や、水分を含有しやすく、又生ごみのように水分が多すぎて、濡れすぎることもなく、均質であるため、熱供給源としては、極めて適している。【００２９】  植物系有機物１１は、定期的に、外部から補充できるよう、補充口兼排出口１０ａ、及び補充口１５ａが設けられており、蓋を開け、上端部に位置合わせると補充でき、下端部に位置合わせると排出口１５ｂより排出できる。
通常１ケ月に、１〜３回程度の頻度で、約１／３を補充すればよい。
そして、植物系有機物１１の発酵が終わると、堆肥１３として利用でき、発酵槽１０に設けられた排出口１０ｂより、例えば堆肥箱に排出され、良質の堆肥１３として販売し、商品として、コストメリットを発揮することができる。図４に示す栽培ハウス５０では、堆肥１３を、そのまま若しくは添加剤を加えて、畝５２に循環使用され、効果的な循環システムを構成できるのである。【００３０】  次に図５に示す如く熱供給管３は、熱媒槽１５の上部付近に、設けられており、戻り配管４は、熱媒槽１５の比較的下方に設けられている。
熱供給管３、及び戻り配管４は、強度のある金属管や、合成樹脂製管で構成され、熱媒の発生する１００℃位の高温と、戻り管は、０℃以下の温度に耐えうる材料が選定される。
又、熱供給管３、及び戻り配管４は、放熱防止や、凍結防止のため外周には、保温材等１６が被覆されている。
熱供給管３は、熱媒槽１５から熱媒ｆを放熱部２へと流動させ、戻り配管４は、放熱部３を出てきた熱媒ｆを熱媒槽１５へと戻すよう構成されている。【００３１】  熱媒ｆには、沸点の低い液体が用いられる。例えば、水、又はエタノール、又はそれらの混合物がその１例である。又凍結防止のため、不凍液を混入しても良い。
又、熱媒を減圧して沸点を下げても良い。
熱媒ｆは、液体、又は気液混合体、又は気体の状態で使用される。【００３２】  熱媒槽１５では、５０℃〜１００℃に加熱されると、その上部には、蒸発潜熱を奪って、蒸気がたまり、それが供給配管により、蒸気、又は汽液混合体の状態で、放熱部２に供給される。
放熱部２で、放熱されると、熱媒ｆは、液体となり、凝結潜熱を放出し液体に戻り、顕熱の他、潜熱も利用することができ、放熱能力を高めることができる。【００３３】  又、図２に示す如く、熱供給管３に、小形の蒸気タービン５５により、発電機５６を駆動し、電力を得たり、蓄電池式バッテリー５７を併用することにより、電気配線を介して、システム全体のセンサー機器等のコントローラ５８による運転状況を、監視コントロール、記録を行うこともできるのである。
又、図示のように、植物栽培に、埴物の種類により最適な波長の、たとえば紫外線等の光線を発光するランプ５９を設置している。
特に省エネ型のＣＣＦＬ灯（冷陰極管）や、ＬＥＤ灯によるランプ５９を使用して理想的な植物栽培を行うことができる。
又、熱供給システムにおける、小形の循環ポンプ４ａにより、熱媒を循環させたり、又は熱媒槽１０の回転力を得たりと、バイオマス発電システムとして構成することができるのである。
もちろん、電力は、既存配電網や、太陽光発電や、風力発電や、地熱発電、潮流発電等の手段より得ても良い。
又植物栽培は、図１のハウス栽培だけでなく、同様に植物工場にも適用できるものである。
【実施例２】
【００３４】  実施例２は、図２に示す道路及び／又は駐車場に適用した融雪装置６０の全体装置構成、及びシステム概略構成図である。【００３５】融雪装置６０の望ましき１例としては、図１０に示す如く、底部には、断熱層６１が設けられ、その上表面には、熱伝達塗料６２が塗装されることが好ましい。【００３６】熱伝達塗料６２は、約２５℃までは、上部からの熱を反射し、２５℃以下では、熱遮断する特性を有している塗料である。通常の熱反射塗料では、温度が例え低くても、太陽光等の熱を反射してしまうため、低温時では、熱遮断できないという欠点を有している。【００３７】その上部には、放熱ヘッダー２ａと、放熱配管２ｂが設けられ、更にその上部表面には、滑り止めを兼ねた保護層６３が設けられる。
放熱部２の材質としては、例えば熱伝導の良い銅、アルミ、鉄管や、腐食を防ぐためステンレス鋼管等の金属管、又は熱伝導の良いシリコン樹脂等の合成樹脂管が選定される。
合成樹脂管の場合は、曲げることが容易であるため、道路や、駐車場、屋根等の形に応じて、放熱部を形成することが容易であり、施工性が良好であり、又接続部からの漏水が少ない特徴を有している。【００３８】  保護層６３の材質は、アスファルトや、合成樹脂シートや、金属シート等が用いられ、熱伝導性が良好な材料が選定される。
融雪装置６０で、放熱されると、熱媒ｆは、戻り配管４を通じて、熱媒槽１５に流動される。
流動抵抗が大きい時は、熱媒槽１５を、融雪装置６０より低く配置したり、図２に示す小形の循環ポンプ４ａを設け、流動させることができる。
また異常に低温となる場合は、不凍液を混入することにより、凍結を防止することができる。
【実施例３】
【００３９】  図４は、建築物の暖房や、温水供給等（図示せず）に適用した全体装置構成、及びシステム概略構成図である。
【実施例４】
【００４０】  図１１に、実施例４を示す。この実施例４においては、発酵熱の他、地中における地熱も利用できる構成を示すものである。
熱媒槽７１は、地面Ｅの中に、埋設され、仕切り管７２が、土の混入を防いでいる。
熱媒槽７１と仕切り管７２の間には、植物系有機物１１及び発酵菌１３で構成された醗酵物質ｍが、充填されている。
熱媒槽７１は、回転する支持筒７３により、回転自在に支持され、支持筒７３の上部には、ギヤ７４が設けられており、旋回モータ７５により、ゆっくりとした回転数で、旋回されている。供給配管３の上部には、逆止弁７６が設けられており、熱媒槽７１の内部圧力をコントロールでき、熱媒ｆが、蒸発しやすくなるように、調整、コントロールすることができる。
熱媒ｆは、ロータリージョイントを介して、供給配管３、戻り管４に、連結されている。【００４１】  熱媒槽７１の外面には、受熱と撹拌を兼ねた撹拌フィンが数多く設けられており、醗酵物質ｍを撹拌することができる。醗酵物質ｍは、このように、発酵熱と地熱の両方による受熱が、可能なため極めて安価で、合理的な熱供給を可能とすることが出来た。
発酵が進むと、前述のように、醗酵物質ｍは、堆肥となるため、堆肥搬出用スクリュウコンベア等の排出機７７により堆肥を地上に搬出することができ、利用することができる。
地中においては、地下５ｍくらいでは、約１５℃くらいの地熱が得られ、１０ｍ位では、約３０℃くらいの地熱を得ることができる。【００４２】  地下の深さが大きいほど、地熱は１年間で安定し高くなる。また温泉地では、温泉水の温度を利用できる。
この地熱併用方式においては、地熱による受熱量が増えると共に、その地熱により発酵菌の活動を促進するメリットも、利用することができる。
このように構成することにより、発酵熱や、地熱という自然エネルギーを用いて、植物栽培や、融雪、建物の暖房等を行うことができる。
又、太陽光発電や、風力発電、水力発電、潮流発電等を併用して、電力や、動力を享受し、効果を高めることができる。
【産業上の利用可能性】
【００４３】  本発明の活用例としては、以上説明したように、人類の現在の最大の問題となっている原子力発電所における事故によるエネルギー不足や、自然エネルギー利用の地球温暖化防止策に貢献すると共に、装置が、安価に製作できることによる適用性が高いことと、自然エネルギーのランニングコスト低減に大きな効果を発揮することができ、新商品による産業の発展に貢献できる極めて新規、かつ実用的な発明である。
【符号の説明】
【００４４】１      熱発生装置
２      放熱部
２ａ    放熱ヘッダー
２ｂ    放熱配管
３      熱供給配管
４      戻り配管
１０    醗酵槽
１０ａ  補充口兼排出口
１５ａ  補充口
１５ｂ  排出口
１１    植物系有機物
１２    醗酵菌
１３    堆肥
１４    糖類
１５    熱媒層
１６    保温材等
１７ａ、１７ｂ  回転軸
１８    シール部
１９    軸受
２０    回転手段
２１、２２  受熱フィン
２３    入口管
２４    ブロワー
２５，７８  ロータリージョイント
５０    栽培ハウス
５１    栽培植物
５２    畝
５３    補強フレーム
５４    外皮
５５    蒸気タービン
５６    発電機
５７    蓄電池式バッテリー
５８    センサー機器等のコントローラ
５９    ランプ
６０    融雪装置
６１    断熱層
６２    熱伝達塗料
６３    保護層
７１    熱媒槽
７２    仕切り管
７３    支持筒
７４    ギヤ
７５    旋回モータ
７６    逆止弁
７７    排出機
Ｅ      地面
ｍ      発酵材料
ｈ      発酵熱
ｆ      熱媒
Ａ      空気
【図１】
2013127349.tif 000003
【図２】
2013127349.tif 000004
【図３】
2013127349.tif 000005
【図４】
2013127349.tif 000006
【図５】
2013127349.tif 000007
【図６】
2013127349.tif 000008
【図７】
2013127349.tif 000009
【図８】
2013127349.tif 000010
【図９】
2013127349.tif 000011
【図１０】
2013127349.tif 000012
【図１１】
2013127349.tif 000013